(57)【要約】【課題】インロー部分での応力集中を緩和して、インローに対して小径竿杆を安定して固定することが行なえるインロー継式の釣竿を提供する。【解決手段】大径竿杆と小径竿杆を、インロー８０によって着脱可能に連結するインロー継式の釣竿において、小径竿杆の後端側には、インロー８０の外周面に対して嵌入、固定されると共に、インローの外周面から立ち上がる立ち上がり位置Ｐ１を備え、インロー外周面との間で微小隙間を有する開口内周面３１ａが形成されており、開口内周面の開口縁には、立ち上がり位置Ｐ１への異物の侵入を防止するリング状の被膜５０が形成されていることを特徴とする。【選択図】  図６
2020110123.tif 000002
【特許請求の範囲】
【請求項１】
大径竿杆と小径竿杆を、インローによって着脱可能に連結するインロー継式の釣竿において、
前記小径竿杆の後端側には、前記インローの外周面に対して嵌入、固定されると共に、前記インローの外周面から立ち上がる立ち上がり位置を備え、前記インロー外周面との間で微小隙間を有する開口内周面が形成されており、
前記開口内周面の開口縁には、前記立ち上がり位置への異物の侵入を防止するリング状の被膜が形成されている、
ことを特徴とするインロー継式の釣竿。
【請求項２】
大径竿杆と小径竿杆を、インローによって着脱可能に連結するインロー継式の釣竿において、
前記小径竿杆の後端側には、前記インローの外周面に対して嵌入、固定されると共に、前記インローの外周面から立ち上がる立ち上がり位置を備え、前記インロー外周面との間で微小隙間を有する開口内周面が形成されており、
前記インローの外周面には、前記小径竿杆が嵌入された際、小径竿杆の開口内周面の開口縁と対向する位置に、前記立ち上がり位置への異物の侵入を防止するリング状の被膜が形成されている、
ことを特徴とするインロー継式の釣竿。
【請求項３】
前記被膜は、小径竿杆の嵌入位置の目印としての機能を有することを特徴とする請求項２に記載のインロー継式の釣竿。
【請求項４】
前記小径竿杆は、軸長方向に亘って巻回されるプリプレグシートによる本体層と、前記インローとの継合領域に巻回される補強シートによる補強層と、を備え、
前記開口内周面側は、インローの外周面に当接し、前記立ち上がり位置が形成される応力緩和シートと、前記本体層を保護し、前記本体層と応力緩和シートとの間に介在される保護シートが巻回されることを特徴とする請求項１から３のいずれか１項に記載のインロー継式の釣竿。
【請求項５】
前記応力緩和シートは、前記本体層を構成するプリプレグシートの強化繊維よりも弾性率が低い繊維に合成樹脂を含侵したシートで構成されていることを特徴とする請求項４に記載のインロー継式の釣竿。
【請求項６】
前記応力緩和シートは、織布で構成されていることを特徴とする請求項４又は５に記載のインロー継式の釣竿。
【請求項７】
前記開口内周面は、開口縁から先端側に向けて一定の軸方向長さで縮径し、前記インローの外周面との間で前記微小隙間を有するように、小径竿杆の中心軸に対して傾斜する傾斜面を備えていることを特徴とする請求項１から５のいずれか１項に記載のインロー継式の釣竿。
【請求項８】
前記傾斜面は、前記小径竿杆の中心軸に対し、１°〜３°の範囲内で傾斜し、前記一定の軸方向長さは、１ｍｍ〜３ｍｍの範囲内であることを特徴とする請求項７に記載のインロー継式の釣竿。
【請求項９】
前記小径竿杆の開口内周面には、少なくとも前記立ち上がり位置を含む領域に粗面部が形成されていることを特徴とする請求項１から７のいずれか１項に記載のインロー継式の釣竿。
【請求項１０】
大径竿杆と小径竿杆を、並継式で連結する並継式の釣竿において、
前記大径竿杆の先端側には、前記小径竿杆の後端側の外周面が嵌入、固定されると共に、前記小径竿杆の外周面から立ち上がる立ち上がり位置を備え、前記小径竿杆の外周面との間で微小隙間を有する開口内周面が形成されており、
前記開口内周面の開口縁には、前記立ち上がり位置への異物の侵入を防止するリング状の被膜が形成されている、
ことを特徴とする並継式の釣竿。
【請求項１１】
大径竿杆と小径竿杆を、並継式で連結する並継式の釣竿において、
前記大径竿杆の先端側には、前記小径竿杆の後端側の外周面が嵌入、固定されると共に、前記小径竿杆の外周面から立ち上がる立ち上がり位置を備え、前記小径竿杆の外周面との間で微小隙間を有する開口内周面が形成されており、
前記小径竿杆の外周面には、前記小径竿杆が嵌入された際、大径竿杆の開口内周面の開口縁と対向する位置に、前記立ち上がり位置への異物の侵入を防止するリング状の被膜が形成されている、
ことを特徴とする並継式の釣竿。
【請求項１２】
前記被膜は、小径竿杆の嵌入位置の目印としての機能を有することを特徴とする請求項１１に記載の並継式の釣竿。
【請求項１３】
前記大径竿杆は、軸長方向に亘って巻回されるプリプレグシートによる本体層と、前記小径竿杆との継合領域に巻回される補強シートによる補強層と、を備え、
前記開口内周面側は、小径竿杆の外周面に当接し、前記立ち上がり位置が形成される応力緩和シートと、前記本体層を保護し、前記本体層と応力緩和シートとの間に介在される保護シートが巻回されることを特徴とする請求項１０から１２のいずれか１項に記載の並継式の釣竿。
【請求項１４】
前記応力緩和シートは、前記本体層を構成するプリプレグシートの強化繊維よりも弾性率が低い繊維に合成樹脂を含侵したシートで構成されていることを特徴とする請求項１３に記載の並継式の釣竿。
【請求項１５】
前記応力緩和シートは、織布で構成されていることを特徴とする請求項１３又は１４に記載の並継式の釣竿。
【発明の詳細な説明】
【技術分野】
【０００１】
本発明は、複数の竿杆をインロー継構造、或いは、並継式で連結するインロー継式の釣竿及び並継式の釣竿に関する。
【背景技術】
【０００２】
従来、複数本の竿杆を有する釣竿として、例えば、特許文献１に開示されているような、大径竿杆の先端と小径竿杆の後端を、芯材（インローと称する）を介して着脱可能に連結するものが知られている。このような釣竿はインロー継式と称されており、一般的に、前記インローは、その先端側が大径竿杆の先端開口から突出した状態で、後端側が大径竿杆の先端部の内周面に接着、固定されており、突出した状態のインローに、小径竿杆の後端開口を圧入、嵌合することで、小径竿杆と大径竿杆を着脱可能に連結している。
【０００３】
上記したインローの大径竿杆から突出する部分に小径竿杆を継合した際、小径竿杆の後端縁からインローの外周面に大きな応力が作用し、その剪断力で破損する恐れがある。これは、小径竿杆が撓んだ際、インローの外周面に対し、小径竿杆の後端縁（エッジ）が略直角状に当たってリング状の応力集中が生じるためである。そこで、特許文献２に開示されているように、小径竿杆の後端部の内周面を、後端側に向けて拡径するテーパ状にして応力分散空隙部を形成することが知られている。この応力分散空隙部内に軟質材を充填することで、インローの外周面に対する剪断応力を緩和したり、或いは、応力分散空隙部の肉厚を厚くすることで、剪断応力を緩和するようにしている。
【先行技術文献】
【特許文献】
【０００４】
【特許文献１】特開２００３−２５０３９６号
【特許文献２】実開平５−６８２７０号
【発明の概要】
【発明が解決しようとする課題】
【０００５】
前記インローには、大径竿杆の先端開口から突出している部分に、小径竿杆の後端開口が圧入され、その外周面のいずれかの位置で固定状態となり、小径竿杆と大径竿杆の連結が成される。この場合、小径竿杆と大径竿杆の間は、インローの外周面の一部が露出した状態となるが、複数の竿杆を有する構成では、各竿杆の間で露出するインローの長さが均一になっていることが好ましい。これは、露出しているインローの長さが統一されていないと、釣竿全体として撓み性が低下してしまうとともに、見栄えも低下するためである。
【０００６】
上記した特許文献２に開示されているように、小径竿杆の後端部の内周面に応力分散空隙部を形成し、この内部に軟質材を充填する構成では、小径竿杆の挿脱時に抵抗が生じたり、軟質材が剥がれる等、小径竿杆の固定位置が安定しない。また、小径竿杆の後端部の内周面をテーパ状にすると、後端側が大きく開口してしまい、砂、埃、塩分等の異物が継合部分に侵入し易く、安定した嵌入、固定状態が得られない。さらに、実釣時において、魚が掛かって釣竿に大きな撓みが発生すると、インローの外周面には、テーパの立ち上がり部分で大きな圧力を受けてしまい、インローの外周面には、圧入した小径竿杆の固定位置（テーパの立ち上がり位置）でリング状に大きな応力集中が生じ、この位置でインローが破損し易いという問題も生じる。
【０００７】
本発明は、上記した問題に着目してなされたものであり、インロー部分での応力集中を緩和して、インローに対して小径竿杆を安定して固定することが行なえるインロー継式の釣竿を提供することを目的とする。また、本発明は、小径竿杆と大径竿杆を並継式で連結する並継式の釣竿において、継合部分での応力集中を緩和して、大径竿杆に対して小径竿杆を安定して固定することが可能な並継式の釣竿を提供することを目的とする。
【課題を解決するための手段】
【０００８】
上記した目的を達成するために、本発明は、大径竿杆と小径竿杆を、インローによって着脱可能に連結するインロー継式の釣竿において、前記小径竿杆の後端側には、前記インローの外周面に対して嵌入、固定されると共に、前記インローの外周面から立ち上がる立ち上がり位置を備え、前記インロー外周面との間で微小隙間を有する開口内周面が形成されており、前記開口内周面の開口縁には、前記立ち上がり位置への異物の侵入を防止するリング状の被膜が形成されている、ことを特徴とする。
【０００９】
また、上記した目的を達成するために、本発明は、大径竿杆と小径竿杆を、インローによって着脱可能に連結するインロー継式の釣竿において、前記小径竿杆の後端側には、前記インローの外周面に対して嵌入、固定されると共に、前記インローの外周面から立ち上がる立ち上がり位置を備え、前記インロー外周面との間で微小隙間を有する開口内周面が形成されており、前記インローの外周面には、前記小径竿杆が嵌入された際、小径竿杆の開口内周面の開口縁と対向する位置に、前記立ち上がり位置への異物の侵入を防止するリング状の被膜が形成されている、ことを特徴とする。
【００１０】
上記した構成のインロー継式の釣竿では、インローの外周面に対して、小径竿杆の後端側の開口が圧入されて、小径竿杆と大径竿杆の連結が成される。この場合、小径竿杆の後端側の開口内周面は、前記インローの外周面から立ち上がる立ち上がり位置を備えてインロー外周面との間に微小隙間を形成しているため、小径竿杆の後端縁から異物が侵入する可能性があるが、前記小径竿杆の開口内周面の開口縁、或いは、インローの外周面の、小径竿杆の開口内周面の開口縁と対向する位置に、リング状の被膜を形成したことで、そのような異物の侵入が防止され、小径竿杆とインロー外周面との固着が防止され、小径竿杆を安定して固定することが可能となる。
【００１１】
また、小径竿杆の後端側の開口内周面に、インロー外周面との間で微小隙間を有する程度に立ち上がる立ち上がり位置を形成したことで、小径竿杆が撓んだ際のインロー外周面に対する当たり（応力集中）が緩和され、インロー部分での破損を防止することが可能となる。
【００１２】
さらに、上記したような微小隙間及びリング状の被膜を有する継合構造については、並継式の釣竿にも適用することが可能である。並継式の釣竿では、小径竿杆の後端部を、大径竿杆の先端側の開口内周面に圧入、継合させる構造となるが、大径竿杆の先端側の開口内周面に立ち上がり位置を形成しておき、この部分に異物が侵入しないように、大径竿杆の開口内周面の開口縁にリング状の被膜を形成したり、或いは、小径竿杆の外周面の、大径竿杆の開口内周面の開口縁と対向する位置にリング状の被膜を形成すれば良い。
【発明の効果】
【００１３】
本発明によれば、インロー部分での応力集中を緩和して、インローに対して小径竿杆を安定して固定することが行なえるインロー継式の釣竿が得られる。
【図面の簡単な説明】
【００１４】
【図１】本発明に係るインロー継式釣竿の一実施形態を示す図。
【図２】図１に示す構成において、インロー継部分を拡大した縦方向断面図。
【図３】４点曲げ試験の試験方法を模式的に示す図。
【図４】図３に示した試験による曲げ破壊強さの測定結果を示すグラフ。
【図５】小径竿杆の構成と、小径竿杆を構成するプリプレグシート、補強シート等の配置態様例を示す図。
【図６】（ａ）は、小径竿杆の後端縁側の積層構造を示す図、（ｂ）は、（ａ）に示す積層構造を切削加工し、被膜を形成した図。
【図７】インローの外周面に被膜を形成した変形例を示す図。
【図８】図７に示したインローによる継合構造を示す図。
【発明を実施するための形態】
【００１５】
図１は、本発明に係るインロー継式釣竿の一実施形態を示す図である。
本実施形態の釣竿１は、元竿杆１０の先端側に順次着脱可能に連結される３本の竿杆（中竿杆２０，３０、及び、穂先竿杆４０)を備えた４本継構造となっており、各竿杆の先端は、インロー８０が嵌合固定された継構造（インロー継）を備えている。すなわち、元竿杆１０の先端部１２に固定されたインロー８０には、中竿杆２０の後端部２１が嵌合固定され、中竿杆２０の先端部２２に固定されたインロー８０には、中竿杆３０の後端部３１が嵌合固定され、中竿杆３０の先端部３２に固定されたインロー８０には、穂先竿杆４０の後端部４１が嵌合固定される。このため、インロー８０は、小径側の竿杆の後端部の開口の内周面が嵌入、固定できるように、各竿杆の先端部に対して、インローの先端側が露出するようにして嵌入、固定されている。
【００１６】
本実施形態では、釣竿１は、全体として４本の継構造となっているが、継合本数については限定されることはなく、インロー８０を介して、複数の竿杆が連結されて１本の釣竿を構築する。
以下の説明において、大径竿杆及び小径竿杆とは、インロー８０を介して互いに連結（継合）される部分の竿杆の関係を意味する。このため、図１に示す中竿杆２０は、中竿杆３０との関係では、大径竿杆となり、元竿杆１０との関係では、小径竿杆となる。
以下に説明する継合部の拡大図では、大径竿杆を中竿杆２０で、小径竿杆を中竿杆３０で示すこととする。すなわち、本実施形態のような４本継の釣竿では、各竿杆同士の継合構造が略同一であるため、代表的に中竿杆２０と中竿杆３０との間の継合関係を図示して説明する。また、先端（先端側）とは、図１で示すように、釣竿の穂先側を意味し、後端（後端側）とは、釣竿の竿尻側を意味する。
【００１７】
本実施形態の釣竿１は、元竿杆１０に対して、中竿杆２０，３０、及び、穂先竿杆４０の長さが短い構成となっている。中竿杆２０，３０については、同一の長さであっても良く、穂先竿杆４０は、中竿杆２０，３０よりも短い長さであっても良い。また、中竿杆２０から穂先竿杆４０まで、順次、短くなるように構成しても良い。前記各竿杆１０，２０，３０，４０は、管状の部材として構成されており、例えば、図３に示すように、強化繊維に合成樹脂を含浸したプリプレグシートを芯金に巻回し、加熱処理することで合成樹脂を硬化し、その後、脱芯することで管状に形成されている。この場合、各竿杆は、インローを介して継合される部分が管状に構成され、それ以外の部分に中実構造を備えていても良い。
【００１８】
前記元竿杆１０には、リールが装着されるリールシート１０Ａと、その前後にグリップ（フロントグリップ１０Ｂ，リアグリップ１０Ｃ）が設けられ、前記グリップ１０Ｂ，１０Ｃは、軽量化が図れると共に握り心地が良好な材料、例えば、ＥＶＡ等の柔軟性を有する発泡材やコルク等によって形成されている。
【００１９】
前記竿杆２０，３０，４０には、それぞれリールシート１０Ａに固定されたリールから繰り出される釣糸を挿通させる釣糸ガイドが装着されている。具体的には、竿杆２０には、１つの釣糸ガイド２５が装着され、竿杆３０には、２つの釣糸ガイド３５が装着され、穂先竿杆４０には、３つの釣糸ガイド４５が装着されている。なお、穂先竿杆４０には、先端に穂先ガイド４６が装着されている。
【００２０】
図２は、中竿杆２０（以下、大径竿杆２０と称する）と、中竿杆３０（以下、小径竿杆３０と称する）の継合領域を拡大して示す図である。
インロー８０は、大径竿杆２０の先端部２２の開口側から圧入、固定されており、インロー８０の後端側の外周面８１が、大径竿杆２０の先端部の開口の内周面２２ａに接着、固定されている。インロー８０は、大径竿杆２０の先端部２２の開口縁２２ｂから突出しており、その突出している先端側の外周面８２に、小径竿杆３０の後端部３１の開口の内周面３１ａが圧入、固定される。この場合、小径竿杆３０は、インロー８０の長手方向の全体に亘って圧入されることはなく、小径竿杆３０の後端部３１の開口縁３１ｂと、大径竿杆２０の先端部２２の開口縁２２ｂとの間で、隙間ｌを介して圧入、固定状態となる。
なお、隙間ｌについては、全ての竿杆の継合部領域で存在しており、その隙間ｌの長さについては、全ての継合部分で略同一となるように形成されている。
【００２１】
前記インロー８０は、軽量化が図れる材料で形成されることが好ましく、例えば、炭素繊維に合成樹脂を含浸したプリプレグシートを焼成して管状（円筒状）に形成されたものを用いることができる。インロー８０は、全長に亘って均一の外径を有していても良いし、先端に移行するに従い縮径するテーパ面（小径竿杆の後端部の開口を嵌入して、小径竿杆が固定されるテーパ面）を備えていても良い。また、インロー８０は、中実状に形成されていても良いが、本実施形態のように、軽量化を図るために中空状に形成されていても良い。本実施形態のインロー８０は、例えば、中心軸方向の長さＬが５０〜１５０ｍｍ、内径ｄ１が２〜１０ｍｍ、外径ｄ２が３〜１５ｍｍ程度に形成されるが、これは、釣竿を構成する竿杆の太さ、継合部分によって適宜変更される。また、インローの外周面に上記したテーパ面を形成する場合、そのテーパ面は、小径竿杆との継合領域のみに形成しても良い。
【００２２】
上記したようなインロー継式の釣竿では、実釣時に魚が掛かって釣竿全体が撓んだ際、インロー８０の外周面の一部で応力集中が生じ、この部分に曲げ応力及び剪断応力が作用して、インロー８０が破損する等の問題が生じる。これは、釣竿が撓んだ際、大径竿杆２０の先端部２２の開口縁２２ｂのエッジ２２ｂ´、及び、小径竿杆３０の後端部３１の開口縁３１ｂのエッジ３１ｂ´が、インロー８０の外周面に対して、リング状に線当たりしていることが原因である。
【００２３】
本実施形態では、後述するように、インローの外周面に対して隙間（微小な隙間）を介在するように、開口内周面３１ａ，２２ａに、それぞれ傾斜面（テーパ面）２２Ａ，３１Ａが形成されており、エッジ２２ｂ´、及び、エッジ３１ｂ´は、外周面に対して直角状に線当たりさせず、内部の立ち上がり位置Ｐ１（傾斜面がインロー外周面から立ち上がる位置）で接触させて応力集中を緩和させるようにしている。すなわち、立ち上がり位置Ｐ１からの傾斜角度θ１を小さくすることで、インローの外周面に作用する応力を緩和するようにしている。
【００２４】
ここで、傾斜面を形成することによる応力の緩和について説明する。なお、大径竿杆と小径竿杆の端部領域では、同一の現象が生じているため、ここでは小径竿杆側の傾斜面３１Ａについて説明する。
【００２５】
図２で示すように、小径竿杆３０の後端部３１に、立ち上がり位置Ｐ１から後端側に向かって次第に拡径する傾斜面（後述する傾斜角度θ１によるテーパ面）３１Ａを形成することで、リング状に線当たりすることで発生する応力集中を緩和することが可能である。換言すれば、小径竿杆３０の開口内周面には、開口縁３１ｂから先端側に向けて、一定の軸方向長さＬ１で縮径し、インロー８０の外周面８２との間で隙間（微小隙間）を有するように、小径竿杆の中心軸Ｘに対して傾斜角度θ１で傾斜する傾斜面３１Ａが設けられている。前記傾斜面３１Ａは、インロー８０の外周面８２に対して、立ち上がり位置Ｐ１において僅かな傾斜角度θ１をもって当接していることから、実際に小径竿杆が撓んだ際、直角方向で当接している状態と比較すると、押圧力（剪断応力）が緩和される効果が得られる。
【００２６】
この場合、小径竿杆３０の後端部３１に傾斜面３１Ａを形成することは、端部に移行するに従って薄肉厚化してしまい、強度が低下して口割れ等が生じる可能性があるため、傾斜面３１Ａを形成する軸方向長さＬ１について、あまり長くとることは適切ではない。せいぜい１０ｍｍ以下にすることが適切であり、５ｍｍ以下、好ましくは、１ｍｍ〜３ｍｍの範囲であれば、上述した特許文献２のように、テーパ領域を厚肉化することなく、十分な強度を確保することが可能である。
【００２７】
なお、図２に示す構成では、インロー８０の外周面を軸方向に延びる略ストレート形状としているため、傾斜角度θ１については、インロー８０の外周面に対する角度として示してあるが、実際には、小径竿杆の中心軸Ｘに対する傾斜角度を意味する。
【００２８】
図２に示した傾斜角度θ１については、応力集中による破損を抑制する上では、重要なパラメータであり、あまり大き過ぎても意味を成さない（単に傾斜面を形成するだけでは立ち上がり位置Ｐ１でのエッジがきつくなってしまい、応力を効果的に緩和できない）ため、実際に、どの程度であれば応力集中による破損を抑制できるかについて、以下のような試験を実施した。
ここでは、ＪＩＳ  Ｋ７０７４に準拠した４点曲げ試験を実施し、図２に示した継合構造と同様、小径竿杆と大径竿杆がインローによって継ぎ合わされた試験片について、曲げ破壊強さを測定することで行なった。
【００２９】
図３は、４点曲げ試験の概要を示す模式図である。
図３に示す小径竿杆１３０及び大径竿杆１２０は、いずれも炭素繊維に合成樹脂を含浸したプリプレグシートをマンドレルに巻回し、常法に従い、焼成、脱芯することで形成したものである。小径竿杆１３０の内径は８．０９ｍｍ、大径竿杆１２０の内径は８．２０ｍｍであり、小径竿杆１３０の後端部１３１に、図２に示した構成と同様、後端側に向かって次第に拡径する傾斜面（傾斜角度θ１）を形成すると共に、大径竿杆１２０の先端部１２２にも、先端側に向かって次第に拡径する傾斜面（傾斜角度θ１）を形成した。この場合、傾斜面が形成される軸方向長さ（図２で示す軸方向長さＬ１）については、２ｍｍに設定した。
【００３０】
小径竿杆１３０は、前記傾斜角度θ１が異なるもの（０．１°、１．０°、１．２°、１０°、１５°、２０°、３０°）を７本準備し、大径竿杆１２０についても、小径竿杆と同様、前記傾斜角度θ１が異なるもの（０．１°、１．０°、１．２°、１０°、１５°、２０°、３０°）を７本準備し、同一の傾斜角度の小径竿杆と大径竿杆同士をインロー１８０で連結した。
【００３１】
前記インロー１８０は、竿杆と同様、炭素繊維に合成樹脂を含浸したプリプレグシートをマンドレルに巻回し、常法に従い、焼成、脱芯することで形成したものである。インロー１８０の内径は３．０ｍｍ、先端側の外径は８．０ｍｍであり、長さは１２０ｍｍとした。この場合、インロー１８０の外径については、軸方向に亘って略ストレート状にし、インロー１８０に対して小径竿杆１３０を圧入した際、その中間位置付近で固定した。
【００３２】
上記した試験片（小径竿杆と大径竿杆をインローで連結した７つの試験片）を設置する試験装置は、支点１５０同士の間隔Ｌａを８００ｍｍ、圧子１６０同士の間隔Ｌｂを２４０ｍｍとし、各試験片それぞれについて、速度５０ｍｍ／分の条件で曲げ破壊強度を測定したところ、図４の測定結果が得られた。図４は、上記した４点曲げ試験によって測定された曲げ破壊強さをプロットしたグラフであり、横軸は各試験片の傾斜角度θ１を示し、縦軸は測定された曲げ破壊強さ（インロー１８０の曲げ破壊強さ）を示している。
【００３３】
このグラフから、傾斜角度θ１を変えることで、インローの曲げ破壊強さが変化することが分かるが、上記したように、傾斜角度θ１については、１０°を超えてしまうと曲げ破壊強さが低下して、１５°付近からそれ以上の角度になっても略一定の水準になることが分かる。これは、傾斜角度θ１がある程度大きくなってしまうと、竿杆が撓んだ際に、立ち上がり位置Ｐ１での急激な角度変化（エッジ）によって、充分な応力緩和効果が期待できないことが原因であると思われる。
【００３４】
上記したように、小径竿杆１３０の後端部１３１に形成される傾斜面の軸方向長さを２ｍｍに設定した場合、曲げ破壊強さが強い傾斜角度θ１は、１０°以下、好ましくは５°以下であり、更に好ましくは、点で囲んだ１°〜３°の範囲内である。すなわち、傾斜角度θ１が１０°を超えてしまうと、竿杆が撓んだ際、傾斜面の立ち上がり位置（図２においてＰ１で示す）で応力集中が発生する傾向が強くなり、破損する傾向が強くなるものと考えられる。また、１°以下に設定しても応力緩和することはできるものの、あまり小さくし過ぎてしまうと（０．１°以下）、今度は、後端部の開口縁のエッジ３１ｂ´（図２参照）が、インローの外周面に対して線当たりしてしまうと考えられ、これにより、破損する傾向が強くなると考えられる。
【００３５】
このため、小径竿杆の開口内周面に形成される傾斜面３１Ａについては、小径竿杆の中心軸Ｘに対し、１°〜３°の範囲内の傾斜角度θ１を有するようにし、軸方向長さＬ１については、１ｍｍ〜３ｍｍの範囲内で形成することで、小径竿杆３０の開口部分が損傷することなく、効果的にインロー８０の外周面に対する応力集中を緩和して、インローの破損を効果的に防止することができるものと考えられる。この場合、軸方向長さＬ１については、長くし過ぎると、上記したように、開口縁３１ｂに割れ等が生じることから、開口縁３１ｂでの肉厚をＴとした場合、Ｌ１≦１０Ｔ程度に収めることで、開口部分で破損し難くすることが可能である。
【００３６】
なお、実際に多数の試験片で検証したところ、傾斜面の軸方向長さＬ１を２ｍｍに設定した場合、傾斜角度θ１を略２°にすることで、インローの外周面に対する応力集中を緩和して破損等が少なかったという良好な結果が得られている。この場合、傾斜角度θ１については、全周に亘って略２°に形成しておく必要はなく、上記した１０°以下の範囲、好ましくは１°〜５°の範囲内にあれば、周方向に亘って多少のばらつきがあっても良い。また、そのような傾斜面については、全周に亘って形成する必要はなく、釣竿が撓んだ際、インローの外周面に対して押圧力が作用する一定の範囲内に形成しても良い。
【００３７】
図５は、上記した小径竿杆の構成と、小径竿杆を構成するプリプレグシート、補強シート等の配置態様例を示す図、図６（ａ）は、小径竿杆の後端縁側の積層構造を示す図、図６（ｂ）は、図６（ａ）に示す積層構造に対して傾斜角度θ１で切削加工した状態を示す図である。
【００３８】
上述したように、小径竿杆３０は、炭素繊維やガラス繊維などの強化繊維に、合成樹脂（エポキシ樹脂、ポリエステル樹脂、フェノール樹脂等の熱硬化性樹脂、ポリアミド、ポリプロピレン等の熱可塑性樹脂）を含浸したプリプレグシート３００をマンドレル（芯金）Ｍに巻回し、加熱処理することで成形されている。この場合、プリプレグシート３００は、小径竿杆３０を軸長方向に亘って構成（本体層を構成）する本体シート３０１と、インロー８０が配設される継合領域を補強する補強シート３０３と、インロー８０の外周面に当接する応力緩和シート３０５とを備えている。なお、本実施形態では、上記したように、後端側に傾斜面３１Ａが形成される構造となっており、この傾斜面３１Ａは、テーパーリーマ等の切削工具によって容易に切削、形成できることから、応力緩和シート３０５と本体シート３０１との間に、本体保護シート３０７を配設しておくことが好ましい。
【００３９】
前記本体シート３０１は、炭素繊維等の強化繊維が軸長方向に指向された軸長方向シート３０１ａと、同様な強化繊維が周方向に指向された周方向シート３０１ｂとを備えており、これらのシートが重合されてマンドレルＭに巻回される。各シート３０１ａ，３０１ｂはマンドレルに対して３巻回されるが、その巻回数については限定されることはない。また、本体層を構成する本体シート３０１については、強化繊維が斜め方向に指向した斜向シートを配設したり、強化繊維や合成樹脂の種類、目付け、樹脂含侵量、肉厚等、シートの構成や配設態様については、限定されることはない。
【００４０】
継合部を補強する補強シート３０３は、本体シートの両側端部の最外周に巻回され、炭素繊維等の強化繊維が交差する（例えば、±４５°で交差する）ように指向された斜向シート３０３ａ，３０３ｂを重ねたものを１巻回することで構成される。補強シート３０３は、先端部３２においてインロー８０が固定される部分、後端部３１において大径竿杆のインロー８０に嵌入される部分をそれぞれ補強するものであれば良く、強化繊維や合成樹脂の種類、目付け、樹脂含侵量、肉厚等、シートの構成や配設態様については、限定されることはない。
【００４１】
前記応力緩和シート３０５は、インロー８０の外周面に直接当接して押圧力を作用させる部位を構成することから、その強化繊維は、弾性率が低いもの（少なくとも本体層を構成する本体シートに用いられる強化繊維の弾性率以下のもの）を用いることが好ましく、例えば、本体シートに炭素繊維が用いられている場合、それよりも弾性率が低い繊維、例えばガラス繊維で構成される。このような弾性率が低い強化繊維は、インローの外周面に対する応力の緩和効果が得られるとともに、上記したような傾斜面３１Ａを切削などによって形成する場合、加工精度に優れるという特性を備えている。
【００４２】
このため、応力緩和シート３０５は、少なくとも、上記した立ち上がり位置Ｐ１を含んでいれば良く、その軸長方向長さＬ２の範囲内に立ち上がり位置Ｐ１が形成される。この応力緩和シートに用いられる強化繊維については、巻回し易く、良好な応力緩和効果が得られるように織布状に編成（軸長方向に対して０°，９０°）されたものを用いるのが好ましく、重量化しない程度の巻回数（例えば１巻回）となるように裁断されている。
【００４３】
また、本実施形態では、応力緩和シート３０５が切削加工されることから、その加工時に本体シート３０１が削られないように、本体シート（本体層）３０１と応力緩和シート３０５との間に保護シート３０７が巻回されている。この保護シート３０７は、巻回し易いように、例えば、炭素繊維を軸長方向に引き揃えたものが用いられ、応力緩和シート３０５と同じ大きさに裁断されている。
【００４４】
したがって、図６（ａ）に示す積層状態で、内面の応力緩和シート３０５を切削して傾斜面３１Ａを形成すると、図６（ｂ）に示すように、保護シート３０７によって本体シート３０１が切削されることが防止され、端縁部における強度が低下することはなく、割れ等を効果的に防止することが可能となる。
【００４５】
また、本実施形態では、径竿杆３０の後端側の開口内周面３１ａに、インロー８０の外周面から立ち上がる立ち上がり位置Ｐ１から後端側に微小隙間Ｓを形成しているため、小径竿杆の後端縁から異物が侵入する可能性がある。このため、小径竿杆３０の開口内周面の開口縁側に、リング状の被膜５０を形成しておくことが好ましい。このような被膜５０は、傾斜面３１Ａを切削加工した後、樹脂等による塗装で形成することが可能であり、このような被膜５０を形成することで、継合領域、特に、立ち上がり位置Ｐ１に異物が侵入することが防止され、小径竿杆とインロー外周面が固着することなく、小径竿杆を安定して固定することが可能となる。また、異物が侵入し難くなることから、応力緩和シート３０５の強化繊維として、弾性率が低い素材（例えば、水分を吸収し易いポリエステル系の繊維）を用いることが可能となり、これにより、傾斜面を形成するにあたってより高精度に加工することが可能になるとともに、インロー外周面に対する応力緩和効果をより高めることが可能となる。
【００４６】
なお、上記した構成では、被膜５０を小径竿杆に形成したが、図７に示すように、インロー８０の外周面の、小径竿杆の開口内周面の開口縁と対向する位置に形成しても良い。このような構成では、被膜５０に色彩を付しておくことで、図８に示すように、小径竿杆３０をインローに嵌入する際の目印にすることができ、釣竿全体として、インロー８０の露出範囲ｌを略均等にすることが可能となる。また、被膜５０については、立ち上がり位置Ｐ１付近に異物が侵入し難い構成であれば良く、その肉厚や、軸方向長さについては、適宜変形することが可能である。
【００４７】
上記した構成では、小径竿杆３０の開口内周面に、立ち上がり位置Ｐ１から立ち上がる傾斜面３１Ａによりインロー外周面との間に微小隙間を形成して、インロー外周面に対する応力を緩和するようにしているが、立ち上がり位置Ｐ１を含む領域（継合領域）に粗面部を形成しておくことが好ましい。
このような粗面部を形成しておくことで、小径竿杆が撓んだ際、インロー８０の外周面に対して作用する押圧力を緩和して応力集中を弱めることが可能となる。また、立ち上がり位置Ｐ１付近に粗面部を形成することで、小径竿杆３０をインロー８０に嵌入する際、その固定される領域で、粗面部が変形するため、しっくりとした位置決めをすることが可能となり、正確な位置決めをすることが可能となる。
【００４８】
以上、本発明の実施形態について説明したが、本発明は、上記した実施形態に限定されることはなく、種々変形することが可能である。
本発明は、小径竿杆の開口内周面に立ち上がり位置Ｐ１を形成し、それよりも後端側に微小隙間が形成されるものであれば良く、後端側に向けて次第に拡径する傾斜面ではなく、ストレート状や湾曲状に延びる内周面形状であっても良い。また、本実施形態で示した傾斜面３１Ａは、後端部に向けて次第に拡径する単一の面で構成したが、複数の面で構成されていても良く、上記のようなストレート状に延びる面や湾曲面を含んでいても良い。また、立ち上がり位置Ｐ１については、小径竿杆の内周面に複数個所、存在していても良い。
【００４９】
また、上記したような傾斜面３１Ａは、小径竿杆を例示して説明したが、大径竿杆３０の先端部３２の開口内面にも同様に形成しておくことが好ましい。さらに、上記した応力集中を緩和させる構成については、並継式の継合部分に適用することも可能である。
すなわち、並継式の釣竿では、小径竿杆の後端部を、大径竿杆の先端側の開口内周面に圧入、嵌合させる構造となるが、大径竿杆の先端側の開口内周面に、上記した実施形態と同様の立ち上がり位置を形成しておくと共に、前記開口内周面は、小径竿杆の外周面との間で微小隙間を有するように構成しておけば良い。
【００５０】
そして、このような構成においても、大径竿杆の前記開口内周面の開口縁に、前記立ち上がり位置への異物の侵入を防止するように、リング状の被膜を形成しておけば良い。或いは、小径竿杆の外周面に、前記小径竿杆が嵌入された際、大径竿杆の開口内周面の開口縁と対向する位置に、前記立ち上がり位置への異物の侵入を防止するように、リング状の被膜を形成しておけば良い。小径竿杆の外周面にリング状の被膜を形成する場合、図８に示した構成と同様、小径竿杆の嵌入位置の目印として機能させることが可能である。
【００５１】
なお、並継式の釣竿においても、図５に示したプリプレグシートの配設態様と同様な構成で大径竿杆を形成することが可能である（リング状の被膜については形成しない構成であっても良い）。すなわち、並継式の釣竿において、図５に示した小径竿杆３０を大径竿杆とした場合、その大径竿杆は、軸長方向に亘って巻回されるプリプレグシートによる本体層（本体シート３０１）と、小径竿杆との継合領域に巻回される補強シート３０３による補強層とを備えた構成とすることができ、図５の先端側（図中左側）が開口内周面側となる。この開口内周面には、嵌入される小径竿杆の外周面に当接し、前記立ち上がり位置が形成される応力緩和シート３０５と、本体シート３０１による本体層を保護し、本体層と応力緩和シート３０５との間に介在される保護シート３０７が巻回される。
【００５２】
このような構成において、前記応力緩和シート３０５は、本体層を構成するプリプレグシート（本体シート３０１）の強化繊維よりも弾性率が低い繊維に合成樹脂を含侵したシートで構成することが好ましく、更に、そのような応力緩和シートは、織布で構成しておくことが好ましい。
このような構成においても、上記したインロー継式の釣竿と同様、継合領域において、小径竿杆に対する応力を緩和することが可能となる。
【符号の説明】
【００５３】
１  釣竿
１０  元竿杆
２０，３０  中竿杆
３１Ａ  傾斜面
４０  穂先竿杆
５０  リング状の被膜
８０  インロー
Ｐ１  立ち上がり位置
【図１】
2020110123.tif 000003
【図２】
2020110123.tif 000004
【図３】
2020110123.tif 000005
【図４】
2020110123.tif 000006
【図５】
2020110123.tif 000007
【図６】
2020110123.tif 000008
【図７】
2020110123.tif 000009
【図８】
2020110123.tif 000010